(57)【要約】【課題】  前面扉又は遊技機本体を施錠するための係止箇所を、それらの上端及び下端とすると共に、リンク機構を用いることで、シリンダ錠の錠孔にキーを挿入して、一方向に回動するのみで解錠することができる遊技機を提供する。【解決手段】  前面扉２の開放端側の上方に縦長な上側施錠杆９０、下方に下側施錠杆９３を設けると共に、それらの施錠杆の端部に係止部９１，９４を設けると共に、上側の係止部はバネ９２によって、下側の係止部はバネ９５によって付勢されている。また、上側施錠杆と下側施錠杆の間にこれら施錠杆を反対方向に移動させるリンク機構９６を設けている。そして、シリンダ錠８７にキーを挿入して回動すると、リンク機構を介して上側施錠杆の上側係止部が下動すると共に下側施錠杆の下側係止部が上動し、前面扉又は遊技機本体を解錠するようにした。【選択図】図５
2019216825.tif 000002
【特許請求の範囲】
【請求項１】
遊技機本体の前側に前面扉が開閉自在に装着され、該前面扉又は該遊技機本体を閉止対象に施錠する施錠装置を備えた遊技機であって、
前記施錠装置は、
前記前面扉の前側に鍵孔が露出するように設けられたシリンダ錠と、前記前面扉又は前記遊技機本体の開放端側の上方に上下に移動可能に設けられた縦長な上側施錠杆と、前記上側施錠杆の上端に形成された上側係止部と、前記上側施錠杆の上側係止部を上側へ付勢する上部付勢手段と、前記遊技機本体又は前記前面扉の開放端側の下方であり前記上側施錠杆の下側に上下に移動可能に設けられた縦長な下側施錠杆と、前記下側施錠杆の下端に形成された下側係止部と、前記下側施錠杆の下側係止部を下側へ付勢する下部付勢手段と、前記上側施錠杆と前記下側施錠杆の間に位置してこれら施錠杆に連結され、該上側施錠杆と該下側施錠杆を反対方向へ移動させるリンク機構と、前記被閉止対象の上端部に設けられ前記上側施錠杆の上側係止部を受け容れる上側被係止部と、前記被閉止対象の下端部に設けられ前記下側施錠杆の下側係止部を受け容れる下側被係止部とからなり、
常態においては、前記上側施錠杆の上側係止部と前記下側施錠杆の下側係止部が前記被閉止対象の前記上側被係止部と前記下側被係止部に受け容れられて前記前面扉又は前記遊技機本体を施錠し、
前記シリンダ錠にキーを挿入して回動すると、前記リンク機構を介して前記上側施錠杆と共に上側係止部が下動し且つ前記下側施錠杆と共に下側係止部が上動し、前記前面扉又は前記遊技機本体を解錠するようにしたことを特徴とする遊技機。
【請求項２】
外枠の前側に本体枠が開閉自在に装着されると共に、前記本体枠の前側に前面扉が開閉自在に装着され、前記前面扉に該前面扉を前記本体枠に施錠する第１の施錠装置が設けられ、前記本体枠に該本体枠を外枠に施錠する第２の施錠装置が設けられた遊技機において、
前記第１の施錠装置は、
前記前面扉の前側に鍵孔が露出するように該前面扉に設けられたシリンダ錠と、前記前面扉の開放端側の上方に上下に移動可能に設けられた縦長な上側施錠杆と、前記上側施錠杆の上端に形成された上側係止部と、前記上側施錠杆の上側係止部を上側へ付勢する上部付勢手段と、前記前面扉の開放端側の下方であり前記上側施錠杆の下側に上下に移動可能に設けられた縦長な下側施錠杆と、前記下側施錠杆の下端に形成された下側係止部と、前記下側施錠杆の下側係止部を下側へ付勢する下部付勢手段と、前記上側施錠杆と前記下側施錠杆の間に位置してこれら施錠杆に連結され、該上側施錠杆と該下側施錠杆を反対方向へ移動させるリンク機構と、前記本体枠の上端部に設けられ前記上側施錠杆の上側係止部を受け容れる上側被係止部と、前記本体枠の下端部に設けられ前記下側施錠杆の下側係止部を受け容れる下側被係止部とからなり、
前記リンク機構は、
前記シリンダ錠の錠軸に固着され該錠軸の回動に伴って回動する作動リンク部材と、前記前面扉に回動自在に軸支されると共に前記上側施錠杆の下端部に連結される上側回動リンク部材と、前記前面扉に回動自在に軸支されると共に前記下側施錠杆の上端部に連結された下側回動リンク部材とを備え、
前記作動リンク部材には、前記上側回動リンク部材及び前記下側回動リンク部材のそれぞれに当接する当接部を形成すると共に、前記本体枠の第２の施錠装置に当接し上方又は下方に押圧する押圧部材を形成し、
常態においては、前記上側施錠杆の上側係止部と前記下側施錠杆の下側係止部が前記本体枠の前記上側被係止部と前記下側被係止部に受け容れられて前記前面扉を施錠し、
前記シリンダ錠にキーを挿入して一方向に回動すると、前記作動リンク部材の上下の当接部が前記上下の回動リンク部材に当接して該上下の回動リンク部材を回動させ、該上下の回動リンク部材が前記上側施錠杆と共に前記上側係止部を下動させ且つ前記下側施錠杆と共に下側係止部を上動させて前記前面扉を解錠し、
前記シリンダ錠にキーを挿入して他方向に回動すると、前記作動リンク部材の押圧部材が前記第２の施錠装置に接触して上方又は下方に押圧するようにしたことを特徴とする遊技機。
【請求項３】
請求項２記載の遊技機は、
前記本体枠の開放端側の中央部前面に前方へ突出するように設けられた係合部材と、前記前面扉の前記係合部材に対向する位置に上下に移動可能に設けられたスライドロック部材と、前記スライドロック部材を付勢する付勢手段とを備え、
前記スライドロック部材には、前記係合部材を受け容れる係合部が形成されていると共に、前記係合部材には、前記係合部に嵌合する溝部が形成されていることを特徴とする遊技機。
【発明の詳細な説明】
【技術分野】
【０００１】
本発明は、前面扉又は遊技機本体を閉止対象に施錠する施錠装置を備えた遊技機に関するものである。
【背景技術】
【０００２】
パチンコ遊技機やスロットマシン等の遊技機には、遊技機本体や前面扉を施錠・解錠するための施錠装置が装着されているが、こうした施錠装置の一般的なものとして、遊技機本体の側面に、複数の鉤部が形成された縦長の施錠杆を摺動自在に設けているものが広く知られている。そして、遊技機の前面から鍵を操作することで施錠杆が上下動するようにし、この上下動によって、施錠装置の鉤部が被施錠対象の係止部に係止されるようにしている。
【先行技術文献】
【特許文献】
【０００３】
【特許文献１】特開２００７−８９７５８号公報
【特許文献２】特開２００９−１８９４２７号公報
【特許文献３】特開２０１２−５０７０８号公報
【発明の概要】
【発明が解決しようとする課題】
【０００４】
ところで、最近のパチンコ遊技機やスロットマシンといった遊技機は、その装飾性を高めて、遊技者の注意を惹くべく、遊技機の前面に装着する装飾部材が大型化している。特に、遊技機の上方の装飾部材は顕著で、前方へ大きく張り出すような大型のものが多くなってきている。このような大型の装飾部材は、必然的に重量があるため、遊技機の上方に装着した場合、遊技機の上方、特に、前面扉の上方が前方へ傾くように力が作用してしまうことになる。
【０００５】
この点、特許文献１乃至３に示されているような一般的な施錠装置を備えた遊技機の場合、施錠装置の施錠杆に形成されている複数の鉤部が、遊技機の上端より下側に位置することになる。すなわち、施錠杆の一番上の鉤部であっても、遊技機の上端からは、ある程度距離があるため、遊技機の前面扉上方に装着された大型の装飾部材の重量によって、前面扉上方が前方へ傾くことを防止することができない。そして、前面扉上方が前方へ傾くと、前面扉上方と本体枠上方の間に隙間を生じさせることになり、ひいては、その隙間に異物を挿入するなどして行う不正がなされかねない。また、前面扉の上方が前方へ傾くと、前面扉が撓んでしまうため、時間の経過に伴って、次第に前面扉そのものが変形してしまうことになる。さらに、施錠装置を構成する施錠杆の鉤部に無理な力を及ぼすため、施錠装置による施錠・解錠の回数が増えてくると、次第に施錠杆の鉤部に負担が掛かり、当該鉤部を変形、あるいは摩耗させ、最終的に施錠装置を故障させてしまうことにもなりかねない。
【０００６】
さらに、別の問題として、パチンコ遊技機の設計は、当然のことながら、遊技機メーカー毎によって異なっており、装着される部品、及びその配置等もメーカー毎にまちまちである。この点、パチンコ遊技機に装着される施錠装置も同様で、特に、施錠装置の鉤部の位置は、遊技機メーカー毎の設計にあわせて決定する必要がある。また、同じ遊技機メーカーのパチンコ遊技機であっても、機種が異なると施錠装置の鉤部の位置が異なる場合もある。こうした理由から、遊技機の施錠装置は、基本的な構成が同じであるにも拘わらず、遊技機の異なる機種毎に設計・製造しなければならないという問題も生じていた。
【０００７】
そこで、本発明は、上記課題を解決するために、前面扉又は遊技機本体を施錠するための係止箇所を、それらの上端及び下端とすると共に、リンク機構を用いて、シリンダ錠の錠孔にキーを挿入して、一方向に回動するのみで解錠することができる遊技機を提供することを目的としている。
【課題を解決するための手段】
【０００８】
上記のような課題を解決するために本発明に係る遊技機は、遊技機本体の前側に前面扉が開閉自在に装着され、該前面扉又は該遊技機本体を閉止対象に施錠する施錠装置を備えた遊技機であって、
前記施錠装置は、前記前面扉の前側に鍵孔が露出するように設けられたシリンダ錠と、前記前面扉又は前記遊技機本体の開放端側の上方に上下に移動可能に設けられた縦長な上側施錠杆と、前記上側施錠杆の上端に形成された上側係止部と、前記上側施錠杆の上側係止部を上側へ付勢する上部付勢手段と、前記遊技機本体又は前記前面扉の開放端側の下方であり前記上側施錠杆の下側に上下に移動可能に設けられた縦長な下側施錠杆と、前記下側施錠杆の下端に形成された下側係止部と、前記下側施錠杆の下側係止部を下側へ付勢する下部付勢手段と、前記上側施錠杆と前記下側施錠杆の間に位置してこれら施錠杆に連結され、該上側施錠杆と該下側施錠杆を反対方向へ移動させるリンク機構と、前記被閉止対象の上端部に設けられ前記上側施錠杆の上側係止部を受け容れる上側被係止部と、前記被閉止対象の下端部に設けられ前記下側施錠杆の下側係止部を受け容れる下側被係止部とからなり、
常態においては、前記上側施錠杆の上側係止部と前記下側施錠杆の下側係止部が前記被閉止対象の前記上側被係止部と前記下側被係止部に受け容れられて前記前面扉又は前記遊技機本体を施錠し、前記シリンダ錠にキーを挿入して回動すると、前記リンク機構を介して前記上側施錠杆と共に上側係止部が下動し且つ前記下側施錠杆と共に下側係止部が上動し、前記前面扉又は前記遊技機本体を解錠するようにしたことを特徴としている。
【０００９】
また、本発明に係る遊技機は、外枠の前側に本体枠が開閉自在に装着されると共に、前記本体枠の前側に前面扉が開閉自在に装着され、前記前面扉に該前面扉を前記本体枠に施錠する第１の施錠装置が設けられ、前記本体枠に該本体枠を外枠に施錠する第２の施錠装置が設けられた遊技機において、
前記第１の施錠装置は、前記前面扉の前側に鍵孔が露出するように該前面扉に設けられたシリンダ錠と、前記前面扉の開放端側の上方に上下に移動可能に設けられた縦長な上側施錠杆と、前記上側施錠杆の上端に形成された上側係止部と、前記上側施錠杆の上側係止部を上側へ付勢する上部付勢手段と、前記前面扉の開放端側の下方であり前記上側施錠杆の下側に上下に移動可能に設けられた縦長な下側施錠杆と、前記下側施錠杆の下端に形成された下側係止部と、前記下側施錠杆の下側係止部を下側へ付勢する下部付勢手段と、前記上側施錠杆と前記下側施錠杆の間に位置してこれら施錠杆に連結され、該上側施錠杆と該下側施錠杆を反対方向へ移動させるリンク機構と、前記本体枠の上端部に設けられ前記上側施錠杆の上側係止部を受け容れる上側被係止部と、前記本体枠の下端部に設けられ前記下側施錠杆の下側係止部を受け容れる下側被係止部とからなり、
前記リンク機構は、前記シリンダ錠の錠軸に固着され該錠軸の回動に伴って回動する作動リンク部材と、前記前面扉に回動自在に軸支されると共に前記上側施錠杆の下端部に連結される上側回動リンク部材と、前記前面扉に回動自在に軸支されると共に前記下側施錠杆の上端部に連結された下側回動リンク部材とを備え、
前記作動リンク部材には、前記上側回動リンク部材及び前記下側回動リンク部材のそれぞれに当接する当接部を形成すると共に、前記本体枠の第２の施錠装置に当接し上方又は下方に押圧する押圧部材を形成し、
常態においては、前記上側施錠杆の上側係止部と前記下側施錠杆の下側係止部が前記本体枠の前記上側被係止部と前記下側被係止部に受け容れられて前記前面扉を施錠し、前記シリンダ錠にキーを挿入して一方向に回動すると、前記作動リンク部材の上下の当接部が前記上下の回動リンク部材に当接して該上下の回動リンク部材を回動させ、該上下の回動リンク部材が前記上側施錠杆と共に前記上側係止部を下動させ且つ前記下側施錠杆と共に下側係止部を上動させて前記前面扉を解錠し、前記シリンダ錠にキーを挿入して他方向に回動すると、前記作動リンク部材の押圧部材が前記第２の施錠装置に接触して上方又は下方に押圧するようにしたことを特徴としている。
【００１０】
さらに、本発明に係る遊技機は、前記本体枠の開放端側の中央部前面に前方へ突出するように設けられた係合部材と、前記前面扉の前記係合部材に対向する位置に上下に移動可能に設けられたスライドロック部材と、前記スライドロック部材を付勢する付勢手段とを備え、前記スライドロック部材には、前記係合部材を受け容れる係合部が形成されていると共に、前記係合部材には、前記係合部に嵌合する溝部が形成されていることを特徴としている。
【発明の効果】
【００１１】
本発明に係る遊技機によれば、前面扉又は遊技機本体の上端及び下端のそれぞれにおいて、前面扉又は遊技機本体を被閉止対象に施錠することができ、また、シリンダ錠の錠孔にキーを挿入して、一方向に回動するのみで、解錠することできる。すなわち、前面扉又は遊技機本体を施錠するための係止箇所を、それらの上端及び下端という決められた場所にすることができるため、遊技機の異なる機種毎に施錠装置の施錠杆の鉤部の位置を変更する必要がなくなる。すなわち、異なる機種毎に施錠装置の設計を変更する必要がなくなり、ひいては、大幅なコストダウンに繋がる。また、前面扉の上端で係止して施錠できるため、例えば、前面扉の前面上方に大型の装飾部材を装着した場合でも、前面扉の上方が前方へ傾いてしまうという不都合を解消することができる。従って、前面扉が撓むことによる変形を防止し得ると共に、施錠装置の破損等を防止し得る。
【図面の簡単な説明】
【００１２】
【図１】パチンコ遊技機の正面斜視図。
【図２】パチンコ遊技機の正面斜視図。
【図３】施錠装置７Ａの分解斜視図。
【図４】施錠装置７Ａの左側面図。
【図５】施錠装置７Ｂの分解斜視図。
【図６】施錠装置７Ｂの背面図。
【図７】施錠装置７Ａの施錠状態を示す要部拡大斜視図。
【図８】施錠装置７Ａの作用図。
【図９】施錠装置７Ｂの作用図。
【図１０】施錠装置７Ｂの作用図。
【図１１】施錠装置７Ｂの作用図。
【図１２】施錠装置７Ｂの作用図。
【図１３】中央部閉止機構の作用図。
【発明を実施するための形態】
【００１３】
以下、本発明の実施の形態について、図面を参照しながら説明する。なお、本発明は、例えば、パチンコ遊技機、スロットマシン、雀球機、アレパチ機等の種々の遊技機に適用可能であるが、本実施の形態では、パチンコ遊技機に適用した例を説明する。図１は前面扉と本体枠が開放されたパチンコ遊技機の正面斜視図、図２は前面扉が開放されたパチンコ遊技機の正面斜視図である。パチンコ遊技機は、遊技機本体１と、前面扉２とによって概略構成されており、このうち、遊技機本体１は、縦長な方形状に枠組み形成される外枠３と、外枠３の一側にヒンジ機構４，４によって開閉自在に装着される本体枠５とからなっている。そして、本体枠５の前面一側に前面扉２がヒンジ機構６，６によって開閉自在に装着されている。また、このパチンコ遊技機には、被閉止対象である本体枠５に対し前面扉２を開放及び施錠する施錠装置７Ｂと、被閉止対象である外枠３に対し本体枠５を開放及び施錠する施錠装置７Ａが設けられている。そして、これら施錠装置７Ａと施錠装置７Ｂのそれぞれが請求項１に示されている遊技機の構成要素である施錠装置に該当する。なお、この実施形態において「前側」とは、パチンコ遊技機の正面側、「後側」とは、パチンコ遊技機の背面側、「右側」「左側」とは、パチンコ遊技機を正面から見た場合の右側、左側をそれぞれ指すこととする。
【００１４】
前記外枠３は、上下に配置される上枠板８及び下枠板９、左右に配置される側枠板１０，１０を組み合わせることで縦長な方形枠状に形成されている。また、下枠板９の前方には、合成樹脂製の装飾カバー１１が装着されている。なお、外枠３の開放側内側面、すなわち、右側の側枠板１０内側面の上部と下部の２箇所に、後述する施錠装置７Ａの本体枠用上側係止部２５と本体枠用下側係止部２８のそれぞれを係止させる本体枠用上側被係止部１２ａと本体枠用下側被係止部１２ｂが設けられている。この本体枠用上側被係止部１２ａと本体枠用下側被係止部１２ｂは、平板状の金属板を直角に折曲した断面Ｌ字形の部材で、一方の板部が外枠３の内側に延出するように他方の板部が外枠３の右側の側枠板１０の内側面に固着されている。そして、外枠３の内側に延出する一方の板部に施錠装置７Ａの本体枠用上側係止部２５と本体枠用下側係止部２８のそれぞれを受け容れる縦長矩形状の長孔１３ａ，１３ｂが開設されている。
【００１５】
前記本体枠５は、上下に配置される上囲繞部材１４及び下囲繞部材１５、左右に配置される側部囲繞部材１６，１６を組み合わせることで縦長な方形枠状に形成されており、そのサイズは、外枠３の装飾カバー１１を除く前面を略覆うサイズになっている。また、本体枠５の下囲繞部材１５の上側に、方形状の遊技盤収納凹部１７が形成されており、この遊技盤収納凹部１７に図示はしないが遊技球を流下させる遊技盤が配設されることになる。そして、この遊技盤の前面には、入賞装置、遊技釘、球誘導レール等が配設され、遊技盤の後側には、球タンク、通路部材、球払出装置、各種制御基板等が配設されることになる。また、下囲繞部材１５には、図示はしないが打球発射装置等が配設されることになる。さらに、本体枠５の開放側の上下のそれぞれ、具体的には、上囲繞部材１４と下囲繞部材１５の右側端部前面に、後述する施錠装置７Ｂの前面扉用上側係止部９１と前面扉用下側係止部９４のそれぞれを係止させる前面扉用上側被係止部１８ａと前面扉用下側被係止部１８ｂが設けられている。この前面扉用上側被係止部１８ａは、図９に示されているように、上囲繞部材１４の右端部に前方へ突出状に固着されており、その内側に施錠装置７Ｂの前面扉用上側係止部９１を受け容れるラッチ受容部１９ａが形成されている。また、前面扉用上側被係止部１８ａの前側下端に斜め上方に延出し、先端が上方へ折曲された押圧片２０ａが形成されている。また、前面扉用下側被係止部１８ｂは、前面扉用上側被係止部１８ａと同様の部材で、その違いは、下囲繞部材１４の右端部に、前面扉用上側被係止部１８ａと上下反対向きに装着されている点である。従って、前面扉用下側被係止部１８ｂには、その前側上端に斜め下方に延出し、先端が下方へ折曲された押圧片２０ｂが形成されている。さらに、右側部囲繞部材１６の前面上下方向中央部に前方へ突出する係合部材としての係合ピン２１が設けられている。この係合ピン２１は、図１３に示されているように、後側が円柱形状で、前側は先端に向かって次第に先細となるテーパー状に形成されていると共に、円柱形状の部分とテーパー状に形成されている部分の境目に細幅の溝２１ａが周設されている。また、右側部囲繞部材１６の下方、具体的には、右側部囲繞部材１６であり、これと下囲繞部材１７とが交差する辺りに、後述する施錠装置７Ａの押下ピン４９を露出させるための開口部２２が形成されている。なお、本体枠５の開放側右外側面、具体的には、右側部囲繞部材１６の右外側面に支持基板２３を介して施錠装置７Ａが装着されている。
【００１６】
前記施錠装置７Ａは、支持基板２３の上方に上下動可能に設けられる本体枠用上側施錠杆２４と、本体枠用上側施錠杆２４の上端に設けられる本体枠用上側係止部２５と、本体枠用上側係止部２５を上側に付勢する上部付勢手段としてのバネ２６と、支持基板２３の下方に上下動可能に設けられる本体枠用下側施錠杆２７と、本体枠用下側施錠杆２７の下端に設けられる本体枠用下側係止部２８と、本体枠用下側係止部２８を下側に付勢する下部付勢手段としてのバネ２９と、本体枠用上側施錠杆２４と本体枠用下側施錠杆２７の間に位置してこれら施錠杆を連結する本体枠用リンク機構３０とによって概略構成されている。ちなみに、施錠装置７Ａは、これら構成要素の他に前述した外枠３の本体枠用上側被係止部１２ｂ、本体枠用下側被係止部１２ｂ及び前面扉２の後述するシリンダ錠８７も構成要素としている。
【００１７】
前記支持基板２３は、図３に示されているように、縦長な金属製の帯状板からなり、その上下方向の長さが本体枠５の上下方向の長さと略同じに設定されている基板本体２３ａと、基板本体２３ａの上側縁が直角に折曲されて形成された細幅の上側壁部２３ｂと、基板本体２３ａの下側縁が直角に折曲されて形成された細幅の下側壁部２３ｃと、基板本体２３ａの前側縁が直角に折曲されて形成された細幅の前側壁部２３ｄと、基板本体２３ａの後側縁が直角に折曲されて形成された細幅の後側壁部２３ｅとによって構成されている。そして、支持基板２３には、その上端部と下端部のそれぞれにバネ掛け片３１，３２が形成されており、上端やや下方と中央部やや下方の２箇所に螺子孔３３，３４が穿設され、螺子孔３４のやや下方にボス３５が形成されている。また、上側壁部２３ｂと下側壁部２３ｃには、横長矩形状のスリット３６，３７が開設されている。さらに、前側壁部２３ｄの下端やや上方には縦長矩形状に切り欠かれた切欠部３８が形成されている。また、前側壁部２３ｄと後側壁部２３ｅのそれぞれの上下と中央の３箇所に取付片部３９，３９・・が形成されており、これら取付片部３９，３９・・にネジを螺着することにより、支持基板２３が本体枠５の右側の側部囲繞部材１６に取り付けられている。
【００１８】
前記本体枠用上側施錠杆２４は、縦長な金属製の帯状板からなり、その上下方向の長さは、支持基板２３の上下方向の長さの７割程度の長さに設定されている。また、本体枠用上側施錠杆２４の上部と下部には、幅方向の両側を円弧状に膨出させた円弧状膨出部４０ａ，４０ｂ，４１ａ，４１ｂが形成されている。なお、本体枠用上側施錠杆２４の幅方向の長さは、支持基板２３の内法よりもやや短く設定されている一方、円弧状膨出部が形成されている部分の幅方向の最長部は支持基板２３の内法と略同じ長さに設定されている。また、円弧状膨出部４０ａ，４０ｂと４１ａ，４１ｂの各々の間に支持基板２３側（右側）へ擂鉢状に突出させた円形摺動部４２，４３が形成されている。従って、本体枠用上側施錠杆２４が支持基板２３内で上下動する際、本体枠用上側施錠杆２４の円弧状膨出部の最長部のみが支持基板２３の前側壁部２３ｄと後側壁部２３ｅに接触して摺動すると共に、円形摺動部のみが基板本体２３ａに接触して摺動するため、最小限の摩擦でスムーズ且つ安定して上下動することになる。さらに、本体枠用上側施錠杆２４の上方の２箇所と下方の１箇所にスライド用長孔４５，４６，４７が開設されており、本体枠用上側施錠杆２４の下端部に連結ピン用孔４４が穿設されている。そして、スライド用長孔４６，４７のそれぞれにネジを挿通し、支持基板２３の螺子孔３３，３４に螺着することで、本体枠用上側施錠杆２４が支持基板２３に所定範囲で上下動自在に装着されている。さらに、本体枠用上側施錠杆２４の下端部の前側縁に、直角方向に屈曲形成された矩形状の押下板４８が形成されており、この押下板４８には前方へ突出する押下部材としての押下ピン４９が設けられている。そして、押下板４８は、支持基板２３の切欠部３８の内側に位置し、押下ピン４９が切欠部３８の範囲内で上下に移動可能になっている。なお、押下ピン４９は、後述する施錠装置７Ｂの作動リンク部材１３０の押圧片部１３７の直下に位置することになる。前記本体枠用上側係止部２５は、縦長矩形状の金属板からなり、その上半部両側縁のそれぞれに、両側縁が直角に折曲されて形成された細幅のガイド壁５２，５２が設けられている。また、本体枠用上側係止部２５の上側縁５３は、後側に下傾するスロープ状になっており、その前側はガイド壁５２よりも上方に突出している。さらに、本体枠用上側係止部２５の上端部に縦長矩形状の長孔５４が開設されており、中央部にバネ掛け片５５が設けられ、下端部に螺子挿通孔５６が穿設されている。そして、本体枠用上側係止部２５は、その上側縁５３が支持基板２３のスリット３６に上方へ突出するように挿入されていると共に、支持基板２３のバネ掛け片３１が本体枠用上側係止部２５の長孔５４から突出するようにし、支持基板２３のバネ掛け片３１と本体枠用上側係止部２５のバネ掛け片５５にバネ２６が装着されている。これにより、本体枠用上側係止部２５は、常態において、上側へ付勢されることになる。また、本体枠用上側施錠杆２４のスライド用長孔４５と本体枠用上側係止部２５の螺子挿通孔５６とを螺子によって螺着することで、本体枠用上側施錠杆２４と本体枠用上側係止部２５が連結されている。
【００１９】
前記本体枠用下側施錠杆２７は、縦長な金属製の帯状板からなり、その上下方向の長さは、支持基板２３の上下方向の長さの１割程度に設定されており、また、その幅方向の長さは、前述した本体枠用上側施錠杆２４と比較して短く設定されている。また、本体枠用下側施錠杆２７の上端部には、連結ピン用孔６０が穿設されており、下端部にはスライド用長孔６１が開設されている。前記本体枠用下側係止部２８は、前述の本体枠用上側係止部２５と同一の部材を上下方向に反転させた状態で装着されている。すなわち、本体枠用下側係止部２８は、その下半部両側縁のそれぞれにガイド壁６２，６２が設けられ、また、下側縁６４は、後側に下傾するスロープ状になっており、その前側はガイド壁６２よりも下方に突出している。さらに、下端部に縦長矩形状の長孔６５が開設されており、中央部にバネ掛け片６６が設けられ、上端部に螺子挿通孔６７が穿設されている。そして、本体枠用下側係止部２８の下側縁６４が支持基板２３のスリット３７に下方へ突出するように挿入されて、支持基板２３のバネ掛け片３２が本体枠用下側係止部２８の長孔６５から突出するようにし、支持基板２３のバネ掛け片３２と本体枠用下側係止部２８のバネ掛け片６６にバネ２９が装着されている。これにより、本体枠用下側係止部２８は、常態において、下側へ付勢されることになる。また、本体枠用下側施錠杆２７のスライド用長孔６１と本体枠用下側係止部２８の螺子挿通孔６７とを螺子によって螺着することで、本体枠用下側施錠杆２７と本体枠用下側係止部２８が連結されている。
【００２０】
前記本体枠用リンク機構３０は、縦長な金属製の帯状板からなる押下リンク杆７０と回動リンク杆７１とによって構成されている。このうち押下リンク杆７０は、長手方向中央部に段差が形成されており、また、上端部と下端部のそれぞれにピン挿通孔７２，７３が穿設されている。他方、回動リンク杆７１は、上下端部のそれぞれに連結用孔７４，７５が、中央部に中心孔７６が穿設されている。そして、押下リンク杆７０のピン挿通孔７２と本体枠用上側施錠杆２４下端の連結ピン用孔４４が連結ピンによって連結されると共に、押下リンク杆７０のピン挿通孔７３と回動リンク杆７１の連結用孔７４が連結ピンによって回動自在に連結されている。また、回動リンク杆７１の連結用孔７５と本体枠用下側施錠杆２７の連結ピン用孔６０が連結ピンによって連結されている。さらに、回動リンク杆７１の中心孔７６が支持基板２３のボス３５に螺子によって回動自在に枢着されている。従って、回動リンク杆７１が中心孔７６を支点として回動すると、押下リンク杆７０と本体枠用下側施錠杆２７を互いに反対方向に移動させることになる。
【００２１】
なお、前記施錠装置７Ａにおいて、上側施錠杆と上側係止部、下側施錠杆と下側係止部を別部材によって構成し、これらを互いに連結すると共に、上側係止部と下側係止部のそれぞれに付勢手段としてのバネを直接装着した例を示したが、上側施錠杆に上側係止部、下側施錠杆に下側係止部を一体的に形成し、上側施錠杆と下側施錠杆のそれぞれに付勢手段としてのバネを装着するようにしても良い。
【００２２】
前記前面扉２は、上下に配置される上枠部材８０及び下枠部材８１、左右に配置される側枠部材８２，８２を組み合わせることで縦長な方形枠状に形成されており、そのサイズは、本体枠５の前面を略覆うサイズになっている。このうち、下枠部材８１は、本体枠５の下囲繞部材１５の前面全体を覆う板状に形成されている。また、上枠部材８０及び下枠部材８１、左右に配置される側枠部材８２，８２は、それぞれの側縁が直角に後側に折曲されて形成された細幅の折返し片部８０ａ，８１ａ，８２ａが設けられている。なお、右側の側枠部材８２の上部と下部の折返し片部８２ａのそれぞれに、矩形状の開口部８３，８４が開設されている。また、右側の側枠部材８２の側部の折返し片部８２ａの上下方向中央やや上方にバネ掛け片８５が形成されている。また、前面扉２の上枠部材８０、下枠部材８１、側枠部材８２，８２の内側部分は開放部になっており、図示はしないが該開放部を後方から塞ぐようにして一対の透明板ユニットが装着されることになる。さらに、前面扉２の下枠部材８１の前面には、図示はしないが球受皿、操作ハンドル等が装着されることになり、また、前面扉２の周囲前面には、装飾用の合成製樹脂カバーが装着されることになる。また、前面扉２の右下、具体的には、右側枠部材８２の下端のやや上方に、図５に示されているように、錠取付穴８６が開設されており、ここにシリンダ錠８７が前後方向に貫通状に装着されている。すなわち、シリンダ錠８７は、その錠孔が前面扉２の前面に露出し、その錠軸の基端部８８が前面扉２の後面側に位置するように装着されている。さらに、右側枠部材８２の後面には、施錠装置７Ｂを装着するための複数のボス８９ａ〜８９ｆが突設されている。そして、前面扉２の開放側裏面、具体的には、右側枠部材８２の後面に施錠装置７Ｂが装着されている。また、右側枠部材８２の後面であり、上下方向の中央部に施錠装置７Ｂの補助的な役割を果たす中央部閉止機構７８が設けられている。
【００２３】
前記施錠装置７Ｂは、右側枠部材８２の後面上方に上下動可能に設けられる前面扉用上側施錠杆９０と、前面扉用上側施錠杆９０の上端に設けられる前面扉用上側係止部９１と、前面扉用上側係止部９１を上側に付勢する上部付勢手段としてのバネ９２と、右側枠部材８２の後面の下方に上下動可能に設けられる前面扉用下側施錠杆９３と、前面扉用下側施錠杆９３の下端に設けられる前面扉用下側係止部９４と、前面扉用下側係止部９４を下側に付勢する下部付勢手段としてのバネ９５と、前面扉用上側施錠杆９０と前面扉用下側施錠杆９３の間に位置してこれら施錠杆を連結する前面扉用リンク機構９６とによって概略構成されている。ちなみに、施錠装置７Ｂは、これら構成要素の他に前述した本体枠５に設けられた前面扉用上側被係止部１８ａ、前面扉用下側被係止部１８ｂ及びシリンダ錠８７も構成要素としている。
【００２４】
前記前面扉用上側施錠杆９０は、縦長な金属製の帯状板からなり、その上下方向の長さは、右側枠部材８２の上下方向の長さの７割程度の長さに設定されている。また、前面扉用上側施錠杆９０の上下方向中央部やや下側部分の右側（図５では左側）は、コの字状に凹ませた押部としての凹部９０ａになっている一方、左側（図５では右側）は、コの字状に膨出している。さらに、前面扉用上側施錠杆９０の上下端部のそれぞれに螺子孔１００，１０１が穿設されており、上側の螺子孔１００のやや下方にスライド用長孔１０２が、下側の螺子孔１０１のやや上方にスライド用長孔１０３が開設されている。そして、スライド用長孔１０２，１０３のそれぞれにネジを挿通し、右側枠部材８２のボス８９ａ，８９ｂに螺着することで、前面扉用上側施錠杆９０が右側枠部材８２の後面上方に上下動自在に装着されている。前記前面扉用上側係止部９１は、縦長矩形状のラッチベース１０５と、ラッチベース１０５に螺着されているラッチ部材１０６と、ラッチ部材１０６を収容するケース体１０７と、ケース体１０７の後面を覆う蓋体１０８とから構成されている。ラッチベース１０５は、その上半部両側縁のそれぞれに、両側縁が直角に折曲され後方に突出状に形成された細幅のガイド壁１０９，１０９が設けられている。また、ラッチベース１０５の上端部に螺子挿通孔１１０が穿設されており、下端部に縦長矩形状の長孔１１１が開設されている。ラッチ部材１０６は、細厚立方体形状であり、その上端部が前側から後側に向かって下傾するスロープ状に形成されている。また、ラッチ部材１０６の中央に螺子挿通孔１１２が穿設されている。また、ケース体１０７は、上下方向の長さが、ラッチベース１０５よりも短く設定されており、その上面と後面が開口する箱枠状に形成されている。そして、ラッチベース１０５の螺子挿通孔１１０とラッチ部材１０６の螺子挿通孔１１２に前方からネジを挿通して螺着することで、ラッチ部材１０６がラッチベース１０５の左右のガイド壁１０９，１０９の内側に収まるように固着されている。また、ラッチベース１０５の長孔１１１と前面扉用上側施錠杆９０の螺子孔１００がピンによって連結されることで、ラッチベース１０５は、前面扉用上側施錠杆９０に対し上下動自在に装着されている。さらに、ラッチベース１０５及びこれに固着されたラッチ部材１０６の上端部が右側枠部材８２上側の折返し片部８２ａの開口部８３に上方へ突出するように挿入されている。また、ケース体１０７をラッチベース１０５の後面に臨むように配置し、且つケース体１０７にラッチ部材１０６が収容された状態にして、ケース体１０７の後面に蓋体１０８を被せ、右側枠部材８２に共締めすることで螺着されている。さらに、ケース体１０７の内部であり、ラッチ部材１０６の下方に位置するようにバネ９２が配置されている。これにより、前面扉用上側係止部９１は、常に上方へ付勢された状態となる。
【００２５】
前記前面扉用下側施錠杆９３は、縦長な金属製の帯状板からなり、その上下方向の長さは、右側枠部材８２の上下方向の長さの１割程度に設定されている。また、前面扉用下側施錠杆９３の上下両端部のそれぞれに螺子挿通孔１１５，１１６が穿設されており、螺子挿通孔１１５の下方と螺子挿通孔１１６の上方のそれぞれにスライド用長孔１１７，１１８が開設されている。そして、スライド用長孔１１７，１１８のそれぞれにネジを挿通し、右側枠部材８２のボス８９ｅ，８９ｆに螺着することで、前面扉用下側施錠杆９３が右側枠部材８２の後面下方に上下動自在に装着されている。なお、前面扉用下側施錠杆９３は、その下端が上端よりも右側枠部材８２の内側よりに位置するようにやや斜めになった状態で右側枠部材８２に装着されている。前記前面扉用下側係止部９４は、前述の前面扉用上側係止部９１と同一の構成要素からなり、それら構成要素が上下逆向きになっている。すなわち、ラッチベース１２０の螺子挿通孔１２５とラッチ部材１２１の螺子挿通孔１２７に前方からネジを挿通して螺着することで、ラッチ部材１２１がラッチベース１２０の左右のガイド壁１２２，１２２の内側に収まるように固着されている。また、ラッチベース１２０の長孔１２６と前面扉用下側施錠杆９３の螺子孔１１６がピンによって連結されることで、ラッチベース１２０は、前面扉用下側施錠杆９３に対し上下動自在に装着されている。さらに、ラッチベース１２０及びこれに固着されたラッチ部材１２１の下端部が右側枠部材８２下側の折返し片部８２ａの開口部８４に下方へ突出するように挿入されている。また、ケース体１２３をラッチベース１２０の後面に臨むように配置し、且つケース体１２３にラッチ部材１２１が収容された状態にして、ケース体１２３の後面に蓋体１２４を被せ、右側枠部材８２に共締めすることで螺着されている。さらに、ケース体１２３の内部であり、ラッチ部材１２１の上方に位置するようにバネ９５が配置されている。これにより、前面扉用下側係止部９４は、常に下方へ付勢された状態となる。
【００２６】
なお、前記施錠装置７Ｂにおいて、上側施錠杆と上側係止部、下側施錠杆と下側係止部を別部材によって構成し、これらを互いに連結すると共に、上側係止部と下側係止部のそれぞれに付勢手段としてのバネを直接装着した例を示したが、上側施錠杆に上側係止部、下側施錠杆に下側係止部を一体的に形成し、上側施錠杆と下側施錠杆のそれぞれに付勢手段としてのバネを装着するようにしても良い。
【００２７】
前記リンク機構９６は、シリンダ錠８７の錠軸の基端部８８に固着された作動リンク部材１３０と、前面扉用上側施錠杆９０に回動自在に連結された上側回動リンク部材１３１と、前面扉用下側施錠杆９３に回動自在に連結された下側回動リンク部材１３２と、上側回動リンク１３１と下側回動リンク１３２を前面扉２に軸支するためのリンクベース１３３とによって概略構成されている。
【００２８】
前記作動リンク部材１３０は、中心から四方に延出する延出片１３０ａ，１３０ｂ，１３０ｃ，１３０ｄを備えた略十字状の金属製の板状部材によって形成されており、その中心には軸固着孔１３５が穿設されている。そして、軸固着孔１３５にネジを挿通し、シリンダ錠８７の錠軸８８に固着されている。従って、シリンダ錠８７の錠軸が回動すると、これに伴って、作動リンク部材１３０が回動することになる。また、作動リンク部材１３０の上下に位置する延出片１３０ａ，１３０ｂのそれぞれには、前側に突出する係合ピン（当接部材）１３６ａ，１３６ｂが螺着されている。さらに、左右に位置する延出片１３０ｃ，１３０ｄのそれぞれに丸孔が穿設されている。また、上側の延出片１３０ａの外側端（右側端）に後方へ延出され、その先端部が外方（右側）に折曲された押圧片部（押圧部材）１３７が設けられている。前記リンクベース１３３は、所定の厚みを有する略逆Ｌ字形の部材で、その上端部内側（左側）と下端部外側（右側）のそれぞれにボス挿入孔１３８ａ，１３８ｂが開設されている。そして、このリンクベース１３３のボス挿入孔１３８ａ，１３８ｂが右側枠部材８２後面のボス８９ｃ，８９ｄに挿入されて、リンクベース１３３がシリンダ錠８７の後端部を囲うように配置されている。前記上側回動リンク部材１３１と前記下側回動リンク部材１３２は、いずれも金属製の板材で、このうち、上側回動リンク部材１３１は、その上端縁が内側に向かって下傾するスロープ状に形成され、下側回動リンク部材１３２は、その下端縁が外側に向かって上傾するスロープ状に形成されている。また、上下の回動リンク部材１３１，１３２のそれぞれに作動リンク部材１３０の上下の係合ピン１３６ａ，１３６ｂを受ける受部としての誘導溝１３９ａ，１３９ｂが形成されている。具体的には、上側回動リンク部材１３１は、その下端部に外側が開口する横長な誘導溝１３９ａが形成されており、下側回動リンク部材１３２は、その上端部に内側が開口する横長な誘導溝１３９ｂが形成されている。さらに、上側回動リンク部材１３１には、その上端部内側に支点孔１４０ａが、上端部外側に連結孔１４１ａが穿設されており、下側回動リンク部材１３２には、その下端部外側に支点孔１４０ｂが、下端部内側に連結孔１４１ｂが穿設されている。そして、上側回動リンク部材１３１と下側回動リンク部材１３２のそれぞれをリンクベース１３３の後面に臨ませると共に、上下の回動リンク部材１３１，１３２の誘導溝１３９ａ，１３９ｂに作動リンク部材１３０の係合ピン１３６ａ，１３６ｂを挿入させた状態で、上下の回動リンク部材１３１，１３２がリンクベース１３３に螺着されている。これにより、上側回動リンク部材１３１と下側回動リンク部材１３２がリンクベース１３３を介して前面扉２の右側枠部材８２に回動自在に軸支されることになる。また、上側回動リンク部材１３１の連結孔１４１ａと前面扉用上側施錠杆９０の螺子孔１０１がネジによって連結され、下側回動リンク部材１３２の連結孔１４１ｂと前面扉用下側施錠杆９３の螺子挿通孔１１５がネジによって連結されている。これにより、上側回動リンク部材１３１の回動に伴って、前面扉用上側施錠杆９０が下動し、下側回動リンク部材１３２の回動に伴って、前面扉用下側施錠杆９３が上動することになる。
【００２９】
前記実施形態において、施錠装置７Ｂの作動リンク部材１３０を十字状の金属板により形成した例を示したが、これに限られず、例えば、縦長帯板状の金属板によって形成することも可能である。すなわち、中心にシリンダ錠の錠軸を固着する孔があり、その両側のそれぞれに上下の回動リンク部材に接触する当接部が設けられていればよい。また、回動リンク部材において、作動リンク部材１３０の係合ピン１３６ａ，１３６ｂを受ける受部の例として、一方側が開口する誘導溝１３９ａ，１３９ｂを例示したが、これに限られるわけではない。すなわち、例えば、両側が閉塞された長孔状の溝であってもよいし、単に作動リンク部材の当接部を受ける片状の部材であってもよい。要するに、作動リンク部材の当接部を受けて回動リンク部材を回動させられるようになっていればよい。
【００３０】
前記中央部閉止機構７８は、前面扉２の右側枠部材８２後面の上下方向略中央部、具体的には、右側枠部材８２後面であり、前面扉用上側施錠杆９０の凹部９０ａの内側に位置するよう固着されるスライドベース１４５と、スライドベース１４５に摺動自在に重合されるスライドロック部材１４６と、スライドロック部材１４６を右側枠部材８２に対して付勢する付勢手段としてのバネ１４７とによって構成されている。このうち、スライドベース１４５は、後面板１４５ａと側板１４５ｂとからなる断面Ｌ字形の金属板と、後面板１４５ａの上下両端部のそれぞれに設けられた取着片１４５ｃ，１４５ｃとによって形成されている。また、取着片１４５ｃ，１４５ｃのそれぞれに取着孔１４８ａ，１４８ｂが穿設されており、この取着孔１４８ａ，１４８ｂにネジを螺着することにより、スライドベース１４５が右側枠部材８２に固着されている。さらに、スライドベース１４５の後面板１４５ａの上下両端部には、スライド長孔１４９ａ，１４９ｂが開設されていると共に、それらスライド長孔１４９ａ，１４９ｂの間、すなわち、後面板１４５ａの上下方向の略中央に外側（右側）が開口する円弧状切欠１５０が形成されている。スライドロック部材１４６は、スライドベース１４５の後面板１４５ａと側板１４５ｂのそれぞれに重合する後面重合板１４６ａと側面重合板１４６ｂとを有する断面略Ｌ字形の金属板で、その上端部にバネ掛け片１５１が設けられている。また、後面重合板１４６ａの上下両端部のそれぞれにピン挿通孔１５２ａ，１５２ｂが穿設されていると共に、それらピン挿通孔１５２ａ，１５２ｂの間、すなわち、後面重合板１４６ａの上下方向の略中央に外側（右側）が開口する矩形状切欠１５３が形成されている。そして、スライドベース１４５の後面板１４５ａのスライド長孔１４９ａ，１４９ｂとスライドロック部材１４６のピン挿通孔１５２ａ，１５２ｂのそれぞれにピンを挿通して、スライドベース１４５にスライドロック部材１４６が上下移動可能に取着されている。また、スライドロック部材１４６のバネ掛け片１５１と右側枠部材８２のバネ掛け部８５にバネ１４７が掛止されている。これにより、スライドロック部材１４６は、常態において、上方に付勢された状態でスライドベース１４５に重合することとなる。
【００３１】
次に、上記のように構成されたパチンコ遊技機における前面扉２及び本体枠５の施錠及び解錠方法について説明する。まず、図１に示されているように、本体枠５と前面扉２の双方が開放されている状態において、これらを閉止する方法から説明する。まず、本体枠５を外枠３に対し閉止する場合であるが、本体枠５を外枠３にそのまま押し込むことで閉止することができる。すなわち、本体枠５を外枠３に向けて押すと、図７（ａ）に示されているように、施錠装置Ａの本体枠用上側係止部２５の上側縁５３が外枠３の本体枠用上側被係止部１２ａの前縁に接触すると共に、本体枠用下側係止部２８の下側縁６４が外枠３の本体枠用下側被係止部１２ｂの前縁に接触する。ここで、本体枠用上側係止部２５の上側縁５３及び本体枠用下側係止部２８の下側縁６４がスロープ状になっていると共に、本体枠用上側係止部２５は、その長孔５４の範囲で下動可能になっており、本体枠用下側係止部２８は、その長孔６５の範囲で上動可能になっているため、これら係止部２５，２８は、図７（ｂ）に示されているように、被係止部１２ａ，１２ｂを摺動しながらバネ２６，２９の付勢に抗しつつ徐々に支持基板２３内へと引っ込んでいく。そして、図７（ｃ）に示されているように、本体枠用上側係止部２５の上側縁５３の前端が本体枠用上側被係止部１２ａの長孔１３ａに、本体枠用下側係止部２８の下側縁６４の前端が本体枠用下側被係止部１２ｂの長孔１３ｂに到達すると、これら係止部２５，２８のそれぞれがバネ２６，２９の付勢力によって、上下の被係止部１２ａ，１２ｂの長孔１３ａ，１３ｂのそれぞれに嵌まり込み、本体枠５が外枠３に施錠されることになる。
【００３２】
前面扉２を本体枠５に対して閉止する場合も、前面扉２を本体枠５にそのまま押し込むことで閉止することができる。すなわち、前面扉２を本体枠５に向けて押すと、図９（ａ）に示されているように、前面扉２の右側枠部材８２の上側の折返片部８２ａに開設されている開口部８３から突出している施錠装置Ｂの前面扉用上側係止部９１が、本体枠５の右上端部に形成されている前面扉用上側被係止部１８ａの押圧片２０ａの前縁に接触する。同時に、右側枠部材８２の下側の折返片部８２ａに開設されている開口部８４から突出している前面扉用下側係止部９４が、本体枠の右下端部に形成されている前面扉用下側被係止部１８ｂの前縁に接触する。ここで、前面扉用上側係止部９１の後端部が後側に向かって下傾するスロープ状に、前面扉用下側係止部９４の後端部が後側に向かって上傾するスロープ状になっていると共に、前面扉用上側係止部９１は、その長孔１１１の範囲で前面扉用上側施錠杆９０に対して下動可能になっており、前面扉用下側係止部９４は、その長孔１２６の範囲で前面扉用下側施錠杆９３に対して上動可能になっているため、図９（ｂ）に示されているように、これら係止部９１，９４は、それぞれ前面扉用上側被係止部１８ａの押圧片２０ａと前面扉用下側被係止部１８ｂの押圧片２０ｂに押されて開口部８３，８４内へ一旦侵入していく。そして、前面扉用上側係止部９１の前端と前面扉用下側係止部９４の前端のそれぞれが、前面扉用上側被係止部１８ａのラッチ受容部１９ａと前面扉用下側被係止部１８ｂのラッチ受容部１９ｂに到達すると、これら係止部９１，９４のそれぞれがバネ９２，９５の付勢力によって、ラッチ受容部１９ａ，１９ｂ内に嵌まり込み、前面扉２が本体枠５に施錠されることになる。また、これと同時進行で、中央部閉止機構７８によって、前面扉２の中央部分が本体枠５に固定されることになる。すなわち、図１３（ａ）の開放状態から、前面扉２を本体枠５に向けて押すと、図１３（ｂ）に示されているように、本体枠５の右側の側部囲繞部材１６前面中央部に突出状に設けられた係合ピン２１のテーパー部分が、前面扉２の中央部閉止機構７８のスライドロック部材１４６の矩形状切欠１５３の下縁に接触する。そして、係合ピン２１のテーパー部分が矩形状切欠１５３を越えると、今度は、係合ピン２１がスライドロック部材１４６をバネ１４７の付勢に抗して押し下げる。さらに、係合ピン２１が前方へ進行していって、その溝部２１ａが矩形状切欠１５３の下縁に到達すると、スライドロック部材１４６がバネ１４７によって押し上げられ、スライドロック部材１４６の矩形状切欠１５３の下縁が係合ピン２１の溝部２１ａに嵌まり込む。これによって、前面扉２の右側の前後方向中央部が本体枠５に対して強固に閉止されることになる。
【００３３】
次に、パチンコ遊技機における前面扉２及び本体枠５の解錠方法について説明する。まず、前面扉２を解錠し、本体枠５から開放する場合から説明すると、前面扉２が施錠されている状態では、図９（ｃ）に示されているように、前面扉２に設けられている前面扉用上側係止部９１が本体枠５に設けられている前面扉用上側被係止部１８ａのラッチ受容部１９ａに嵌まり込んでいる。同様に、前面扉用下側係止部９４が前面扉用下側被係止部１８ｂのラッチ受容部１９ｂに嵌まり込んでいる。また、図１３（ｃ）に示されているように、前面扉２に設けられている中央部閉止機構７８のスライドロック部材１４６の矩形状切欠１５３の下縁が、本体枠５に設けられている係合ピン２１の溝部２１ａに嵌まり込んでいる。この時、施錠装置７Ｂのリンク機構９６に着目すると、図１０に示されているように、前面扉用リンク機構９６の作動リンク部材１３０は、その上下の延出片１３０ａ，１３０ｂに設けられている係合ピン１３６ａ，１３６ｂがシリンダ錠８７の錠軸の基端部８８の上下に一直線状に並び、上下の回動リンク部材１３１，１３２の誘導溝１３９ａ，１３９ｂのそれぞれの開口側の端部に位置している。この状態において、パチンコ遊技機の前面に露出するシリンダ錠８７の鍵孔にキーを差し込んで反時計回り方向へ回動させると、シリンダ錠８７の錠軸と共に、錠軸の基端部８８に固着されている作動リンク部材１３０も、図１１に示されているように、反時計回り方向へ回動する（図１１では時計回り方向）。これに伴って、作動リンク部材１３０の係合ピン１３６ａ，１３６ｂが上下の回動リンク部材１３１，１３２の誘導溝１３９ａ，１３９ｂ内を移動すると共に誘導溝１３９ａ，１３９ｂの縁部に当接し、回動リンク部材１３１，１３２をそれぞれの支点孔１４０ａ，１４０ｂを支点として回動させる。この時、上側の回動リンク部材１３１は、その連結孔１４１ａが前面扉用上側施錠杆９０の螺子孔１０１と連結されていることから、前面扉用上側施錠杆９０を押し下げると同時に、前面扉用上側施錠杆９０に連結されている前面扉用上側係止部９１を引き下げる。これによって、前面扉用上側係止部９１が前面扉用上側被係止部１８ａのラッチ受容部１９ａから抜けて、前面扉２の開口部８３内に引っ込む。またこの時、前面扉用上側施錠杆９０の凹部９０ａがスライドロック部材１４６の後面重合板１４６ａの内側上縁に当接すると共に、バネ１４７の付勢に抗してスライドロック部材１４６を押し下げる。これにより、係合ピン２１の溝部２１ａがスライドロック部材１４６の矩形状切欠１５３の下縁から外れる。他方、下側の回動リンク部材１３２は、その連結孔１４１ｂが前面扉用下側施錠杆９３の螺子孔１１５と連結されていることから、前面扉用下側施錠杆９３を押し下げると同時に、前面扉用下側施錠杆９３に連結されている前面扉用下側係止部９４を引き下げる。これによって、前面扉用下側係止部９４が前面扉用下側被係止部１８ｂのラッチ受容部１９ｂから抜けて、前面扉２の開口部８３内に引っ込む。そして、このまま前面扉２を本体枠５から開放することで解錠されることになる。
【００３４】
次いで、本体枠５を解錠し、外枠３から開放する場合について説明すると、本体枠５が外枠３に施錠されている状態では、図７（ｃ）に示されているように、本体枠５に設けられている本体枠用上側係止部２５の上縁５３が外枠３に設けられている本体枠用上側被係止部１２ａの長孔１３ａに嵌まり込んでいる。同様に、本体枠用下側係止部２８の下縁６４が本体枠用下側被係止部１２ｂの長孔１３ｂに嵌まり込んでいる。なお、本体枠５を解錠するにあたっては、前面扉２に形成されている施錠装置７Ｂのリンク機構９６を介在させるので、この時のリンク機構９６に着目すると、図１０に示されているように、前面扉用リンク機構９６の作動リンク部材１３０は、その上下の延出片１３０ａ，１３０ｂに設けられている係合ピン１３６ａ，１３６ｂがシリンダ錠８７の錠軸の基端部８８の上下に一直線状に並び、上下の回動リンク部材１３１，１３２の誘導溝１３９ａ，１３９ｂのそれぞれの開口側の端部に位置している。この状態において、パチンコ遊技機の前面に露出するシリンダ錠８７の鍵孔にキーを差し込んで時計回り方向へ回動させると、図１２に示されているように、シリンダ錠８７の錠軸と共に、錠軸の基端部８８に固着されている作動リンク部材１３０も時計回り方向へ回動する（図１２では反時計回り方向）。この時、作動リンク部材１３０の係合ピン１３６ａ，１３６ｂは上下の回動リンク部材１３１，１３２の誘導溝１３９ａ，１３９ｂから外れた位置へと移動する。従って、係合ピン１３６ａ，１３６ｂは、上下の回動リンク部材１３１，１３２を回動させることはない。他方、作動リンク部材１３０が時計回り方向へ回動することにより、図８（ｂ）に示されているように、作動リンク部材１３０の延出片１３０ａの外側部に形成されている押圧片１３７が本体枠用上側施錠杆２４の押下ピン４９を押し下げ、同時に本体枠用上側施錠杆２４がバネ２６の付勢に抗して下動する。これによって、本体枠用上側施錠杆２４に連結されている本体枠用上側係止部２５も押し下げられて、外枠３の本体枠用上側被係止部１２ａの長孔１３ａから外れる。また、本体枠用上側施錠杆２４が下動すると、これと連結されている押下リンク杆７０も押し下げられると共に、押下リンク杆７０と連結されている回動リンク杆７１が中心孔７６を支点として回動し、これと連結されている本体枠用下側施錠杆２７をバネ２９の付勢に抗して上動させる。これによって、本体枠用下側施錠杆２７に連結されている本体枠用下側係止部２８も引き上げられて、外枠３の本体枠用下側被係止部１２ｂの長孔１３ｂから外れる。そして、このまま本体枠５を外枠３から開放することで本体枠５が解錠されることになる。
【符号の説明】
【００３５】
１        遊技機本体
２        前面扉
３        外枠
５        本体枠
７Ａ      施錠装置（第２の施錠装置）
７Ｂ      施錠装置（第１の施錠装置）
１２ａ    本体枠用上側被係止部
１２ｂ    本体枠用下側被係止部
１８ａ    前面扉用上側被係止部
１８ｂ    前面扉用下側被係止部
２１      係止ピン
２１ａ    溝部
２４      本体枠用上側施錠杆
２５      本体枠用上側係止部
２６      バネ（付勢手段）
２７      本体枠用下側施錠杆
２８      本体枠用下側係止部
２９      バネ（付勢手段）
３０      本体枠用リンク機構
８７      シリンダ錠
９０      前面扉用上側施錠杆
９１      前面扉用上側係止部
９２      バネ（上側付勢手段）
９３      前面扉用下側施錠杆
９４      前面扉用下側係止部
９５      バネ（下側付勢手段）
９６      前面扉用リンク機構
１３０    作動リンク部材
１３１    上側回動リンク部材
１３２    下側回動リンク部材
１３６ａ  係合ピン（当接部）
１３６ｂ  係合ピン（当接部）
１３７    押圧片部（押圧部材）
１４６    スライドロック部材
１４７    バネ（付勢手段）
【図１】
2019216825.tif 000003
【図２】
2019216825.tif 000004
【図３】
2019216825.tif 000005
【図４】
2019216825.tif 000006
【図５】
2019216825.tif 000007
【図６】
2019216825.tif 000008
【図７】
2019216825.tif 000009
【図８】
2019216825.tif 000010
【図９】
2019216825.tif 000011
【図１０】
2019216825.tif 000012
【図１１】
2019216825.tif 000013
【図１２】
2019216825.tif 000014
【図１３】
2019216825.tif 000015